(57)【要約】【課題】軒樋とカバー材の一体性が強固であって、軒樋からカバー材が容易に外れることがなく、軒樋内部への落ち葉等の侵入や、軒樋内部での雪や落ち葉等の堆積が継続的に防止される軒先構造を提供する。【解決手段】本発明は、軒先側の側面上端に係合受部１２１を備える軒樋１と、一端に前記軒樋１の係合受部１２１に外側から係合する係合部２２を有すると共に他端に建築物の外装下地（軒先唐草３）又は躯体に固定される固定部２３を有して前記軒樋１の開放上面を覆うカバー材２と、からなり、前記カバー材２には、裏面側へ折り曲げ可能に設けた複数の係止片２２ａが形成され、該係止片２２ａが下向きになるように折り曲げて前記軒樋１の係合受部１２１の内側に臨ませていることを特徴とする。【選択図】図１
2019199770.tif 000002
【特許請求の範囲】
【請求項１】
軒先側の側面上端に係合受部を備える軒樋と、
一端に前記軒樋の係合受部に外側から係合する係合部を有すると共に他端に建築物の外装下地又は躯体に固定される固定部を有して前記軒樋の開放上面を覆うカバー材と、からなり、
前記カバー材には、裏面側へ折り曲げ可能に設けた複数の係止片が形成され、該係止片が下向きになるように折り曲げて前記軒樋の係合受部の内側に臨ませていることを特徴とする軒先構造。
【請求項２】
カバー材の係止片は、軒樋の係合受部に当接していることを特徴とする請求項１に記載の軒先構造。
【請求項３】
カバー材の係合部は、複数の導水口が形成される化粧面の軒先端に延設され、該軒先端から斜め上方へ延在する傾斜上面部と、その先端を下方へ折曲した側面部と、更にその下端を内側へ折曲した下面部と、からなることを特徴とする請求項１又は２に記載の軒先構造。
【請求項４】
カバー材の化粧面と係合部との境界には、下方へ凹む排水溝が形成され、所定間隔で導水孔が形成されていることを特徴とする請求項１〜３の何れか一項に記載の軒先構造。
【発明の詳細な説明】
【技術分野】
【０００１】
本発明は、軒樋とカバー材の一体性が強固であって、軒樋からカバー材が容易に外れることがなく、軒樋内部への落ち葉等の侵入や、軒樋内部での雪や落ち葉等の堆積が継続的に防止される軒先構造に関する。
【背景技術】
【０００２】
従来、屋根の樋としては、軒先に設ける軒樋が一般的に広く知られている。
例えば特許文献１には、複数の通孔を設けた屋根受け金具７や水切り８を介して軒樋９を取り付けた構造が記載され、特許文献２には、軒樋吊具を介して軒樋４を取り付けた構造が記載され、これらの軒樋９，４としては、丸型や箱形の断面構造が記載されている。
また、特許文献３には、軒樋１の前方を化粧カバー材４で覆う構成が記載され、特許文献４には、樋受面２４を有する軒樋受金物２０の前面側に化粧モール２７を取り付ける構成が記載されている。
【先行技術文献】
【特許文献】
【０００３】
【特許文献１】特開２０００−３５５９７９号公報
【特許文献２】特開２００２−３１７５３９号公報
【特許文献３】特開２００６−２３３５３６号公報
【特許文献４】特開２００３−２３９４７４号公報
【特許文献５】特開２０１８−００３２９１号公報
【特許文献６】特開２０１８−００９４３３号公報
【特許文献７】特開２０１８−０６６１１０号公報
【発明の開示】
【発明が解決しようとする課題】
【０００４】
しかし、前記特許文献１〜４の構造では、カバー材に設けたフック状の係合部を軒樋の軒先端に係合させているに過ぎないので、突風等の外力が加わった際には、軒樋からカバー材が外れてしまうことがあった。
また、前記特許文献３，４の樋金具は、前述のように軒樋や軒樋受金物に化粧材を取り付けて軒先を装飾するので、意匠性が改善されるものの、金具の形状や軒樋の形状に制約を受け、汎用性の低いものであった。さらに、これらの構造では、樋吊り金具等が躯体側のみに固定された片持ち状であるため、降雪時等に破損する恐れのあるものであった。また、室内への漏水リスク、構造的に複雑でコスト高になるなどのデメリットもあった。さらに、屋根勾配毎に部材を変更する必要があった。しかも軒樋を化粧材で覆う構造では、メンテナンスが困難となるという欠点もあった。
【０００５】
そのため、本願出願人は、軒樋の開放上部を覆うカバー材にて、軒樋の軒先側の上端を引っ張るように保持するアームの役割を果たさせる構造（特許文献５〜７）を提案した。これらの特許文献５〜７等に記載の構造におけるカバー材は、軒樋の内部に降雪が堆積したり、落ち葉等が侵入、堆積することを防止する作用を果たす。
【０００６】
しかしながら、これらの構造では、カバー材に設けたフック状の係合部を軒樋の軒先端に係合させているに過ぎないので、突風等の外力が加わった際には、軒樋からカバー材が外れてしまうことがあった。
【０００７】
そこで、本発明は、軒樋とカバー材の一体性が強固であって、軒樋からカバー材が容易に外れることがなく、軒樋内部への落ち葉等の侵入や、軒樋内部での雪や落ち葉等の堆積が継続的に防止される軒先構造を提案することを目的とする。
【課題を解決するための手段】
【０００８】
本発明は、上記に鑑み提案されたものであって、軒先側の側面上端に係合受部を備える軒樋と、一端に前記軒樋の係合受部に外側から係合する係合部を有すると共に他端に建築物の外装下地又は躯体に固定される固定部を有して前記軒樋の開放上面を覆うカバー材と、からなり、前記カバー材には、裏面側へ折り曲げ可能に設けた複数の係止片が形成され、該係止片が下向きになるように折り曲げて前記軒樋の係合受部の内側に臨ませていることを特徴とする軒先構造を提案するものである。
【０００９】
また、本発明は、前記軒先構造において、カバー材の係止片は、軒樋の係合受部に当接していることを特徴とする軒先構造をも提案する。
【００１０】
また、本発明は、前記軒先構造において、カバー材の係合部は、複数の導水孔が形成される化粧面の軒先端に延設され、該軒先端から斜め上方へ延在する上面部と、その先端を下方へ折曲した側面部と、更にその下端を内側へ折曲した下面部と、からなることを特徴とする軒先構造をも提案する。
【００１１】
さらに、本発明は、前記軒先構造において、カバー材の化粧面と係合部との境界には下方へ凹む排水溝が形成され、所定間隔で導水口が形成されていることを特徴とする軒先構造をも提案する。
【発明の効果】
【００１２】
本発明の軒先構造は、軒樋の軒先側の側面上端（係合受部）を、建築物の外装下地又は躯体に固定したカバー材にて抱持状に保持している構造であって、しかも複数の係止片を裏面側へ折り曲げて軒樋の係合受部の内側に臨ませているので、軒樋の係合受部を、内側（係止片）と外側（係合部）から挟むように保持するため、例えば強風やその他の外力が加わっても突発的に外れることがないような高い一体性を有するものである。
また、係止片の裏面側への折り曲げ加工は、表面側（上方）からの押圧操作で容易に行うことができ、少なくともビス止め等（＝側方からの操作）に比べて容易に且つ美麗に取り付け加工を行うことができる。
さらに、係止片の折り曲げは、係止片の大きさに相当する導入穴を形成するので、その導入穴より雨水等を容易に軒樋内へ導く（流入させる）ことができる。
【００１３】
また、カバー材の係止片は、軒樋の係合受部に当接している場合、具体的には係止片の先端（側端や下端）が係合受部へ係止状に当接させている場合、係止片の折り曲げが安定に維持され、導入穴も安定に確保されるため、より安定にカバー材を軒樋と一体化できると共により安定に雨水等を軒樋内へ導くことができる。
【００１４】
また、カバー材の係合部は、複数の導水口が形成される化粧面の軒先端に延設され、該軒先端から斜め上方へ延在する傾斜上面部と、その先端を下方へ折曲した側面部と、更にその下端を内側へ折曲した下面部と、からなる場合、該係合部は側面視が略コ字状に成形されるため、軒樋の軒先端を抱持するように係合させることができる。
【００１５】
さらに、カバー材の化粧面と係合部との境界には、下方へ凹む排水溝が形成され、所定間隔で導水孔が形成されている場合、化粧面に形成される複数の導水口から軒樋内へ導入できなかった雨水があったとしても、当該排水溝から導水孔にて確実に軒樋内へ雨水を導く（落下させる）ことができる。
【図面の簡単な説明】
【００１６】
【図１】（ａ）本発明の第１実施例の軒先構造を示す側断面図、（ｂ）該軒先構造に用いたカバー材（第１態様）を示す平面図、（ｃ）該カバー材の拡大側面図である。
【図２】（ａ）本発明の第２実施例の軒先構造におけるカバー材の係止片の折り曲げを示す側面図及び部分的平面図等、（ｂ）その拡大図、（ｃ）折り込み加工以前（係止片用の切り抜き加工後）のカバー材を示す展開図である。
【図３】（ａ）本発明の第３実施例の軒先構造におけるカバー材の係止片の折り曲げを示す側面図及び部分的平面図等、（ｂ）その拡大図、（ｃ）折り込み加工以前（係止片用の切り抜き加工後）のカバー材を示す展開図である。
【図４】（ａ）本発明の第４実施例の軒先構造を示す側断面図、（ｂ）該軒先構造に用いたカバー材を示す平面図、（ｃ）該カバー材の拡大側面図である。
【図５】（ａ）本発明の第５実施例の軒先構造におけるカバー材の係止片の折り曲げを示す側面図及び部分的平面図等、（ｂ）その拡大図、（ｃ）折り込み加工以前（係止片用の切り抜き加工後）のカバー材を示す展開図である。
【発明を実施するための形態】
【００１７】
本発明の軒先構造は、軒先側の側面上端に係合受部を備える軒樋と、一端に前記軒樋の係合受部に外側から係合する係合部を有すると共に他端に建築物の外装下地又は躯体に固定される固定部を有して前記軒樋の開放上面を覆うカバー材と、からなり、前記カバー材には、裏面側へ折り曲げ可能に設けた複数の係止片が形成され、該係止片が下向きになるように折り曲げて前記軒樋の係合受部の内側に臨ませていることを特徴とする。
【００１８】
本発明の軒先構造を形成する軒樋とカバー材は、設置部位の条件（軒の長さ、屋根勾配、取り合い等）や作業性等を勘案して長さを設定すればよく、それぞれ通し材でも所定長さのものを用いてもよいし、所定長さや異なる長さのものを組み合わせて用いるようにしてもよい。なお、複数の軒樋を組み合わせる場合、その性能上、止水処理を施した連結を行うことが好ましい。
【００１９】
前記軒樋は、雨水等を排水する内部空間を有するものであり、底面と二つの側面とからなる断面略Ｕ字状に形成され、軒先側の側面上端には係合受部を備えている構成である。
この軒樋の係合受部は、カバー材の一端に形成される係合部に係合されるものであればその具体的形状を限定するものではないが、後述する図示実施例のように略Ｌ字状に形成することで、内側が開放するコ字状に形成した係合部に側方（＝軒先側）から容易に係合されることができる。
この軒樋としては、長さ方向に雨水を排水することができれば、特にその材質を限定するものではなく、各種の金属板材の成型品でも、硬質の樹脂成型品でもよい。
【００２０】
前記カバー材は、前述のように一端には前記軒樋の係合受部に外側から係合する係合部を有し、他端には建築物の外装下地又は躯体に固定される固定部を有する。
この係合部は、前記軒樋に形成される係合受部に係合するものであればその具体的形状を限定するものではなく、後述する図示実施例のように軒先端から斜め上方へ延在する傾斜上面部と、その先端を下方へ折曲した側面部と、更にその下端を内側へ折曲した下面部と、からなる、内側が開放するコ字状に形成することが望ましい。略Ｌ字状に形成した係合受部を側方（＝軒先側）から容易に且つ安定に抱持（係合）できるからである。
また、前記カバー材の固定部は、前述のように建築物の外装下地又は躯体に固定されるものであって、例えば後述する図示実施例のように外装下地に固定される軒先唐草（軒先支持材）にビス等の固定具を用いて強固に固定してもよいし、鼻隠し等の躯体に固定される取付部材に固定するようにしてもよい。
このようにカバー材には、一端に軒樋の係合受部に外側から係合する係合部を設け、他端に建築物の外装下地又は躯体に固定される固定部を設けているので、前記軒樋の側面上端（係合受部）を上方から引っ張るように保持して軒樋の荷重を負担することができる。即ちこのカバー材は、軒樋の軒先端を引っ張るように保持するアームの役割をも果たす。
【００２１】
しかも、このカバー材には、裏面側へ折り曲げ可能に設けた複数の係止片が形成され、該係止片が下向きになるように折り曲げて前記軒樋の係合受部の内側に臨ませている。
この係止片は、後述する図示実施例に示すように係合部を形成する傾斜上面部に、四方の何れか一方が開放する略Ｃ字状の切り込みを形成し、その切り込みによって形成される内側部分を裏面側へ折り曲げて形成されるものであり、その形状等は特に具体的に限定するものではない。
また、この係止片の折り曲げにより、係止片の大きさに相当する導入穴も形成するので、その導入穴より雨水等を容易に軒樋内へ導く（流入させる）ことができる。
そのため、このカバー材には、前記軒樋の係合受部に外側から係合する係合部と、前記軒樋の係合受部の内側に臨ませる複数の係止片とが形成されているので、前記軒樋の係合受部を、内側（係止片）と外側（係合部）から挟むように保持するため、ビス等の固定具を必要とすることなく、例えば強風やその他の外力が加わっても突発的に外れることがないような高い一体性を有する。
【００２２】
なお、この折り曲げた係止片の先端（下端や側端）が、前記軒樋の係合受部（内面）に当接（係止）する場合、係止片の折り曲げが安定に維持され、前記導入穴も安定に確保されるため、より安定に前記カバー材を前記軒樋と一体化できると共により安定に雨水等を軒樋内へ導くことができる。
【００２３】
また、前記カバー材は、前記軒樋の開放上面を覆う部材であって、軒樋の内部に降雪が堆積したり、落ち葉等が侵入、堆積することを防止する部材であって、特にその材質（材料）を限定するものではなく、前述のように所定長さのものを用いてもいし、複数の一定長さのものを組み合わせて用いてもよい。なお、このカバー材は、軒樋の開放上面の全面を覆うものでも一部のみを覆うものでもよい。
このカバー材の表面（化粧面）には、雨水を内部へ導く導水口、例えば小径のスリット孔が形成され、該スリット孔の縁部をプレス加工等で下方へ湾曲状に変形させた導水口を形成し、該導水口の存在により、降雪の堆積や落ち葉等の浸入の防止も果たされる。
なお、このカバー材としては、経年の使用により変形しない材料であれば、各種の金属板材の成型品でも硬質の樹脂成型品でもよい。また、ある程度は変形しても、経年の使用により脱離や飛散しないものであれば、金属メッシュ材（金網状材）でもよい。この金属メッシュ材の開口寸法については、前記導水口と同様に広過ぎると落ち葉等の侵入が生じるため、その侵入を防止して雨水を導水できるものであればよい。
【００２４】
なお、前記カバー材の化粧面と係合部との境界には、下方へ凹む排水溝が形成され、所定間隔で導水孔を形成してもよい。
前記排水溝は、後述する図示実施例のように略直線状に形成され、前記導水孔は、略円孔状に形成されることが多いが特にこれに限定するものではない。
このように排水溝及び導水孔を形成した場合には、化粧面に形成される複数の導水口から軒樋内へ雨水を導入できなかったとしても、当該排水溝及び導水孔にて確実に軒樋内へ雨水を導く（落下させる）ことができる。
【００２５】
以上の構成を有する前記軒樋及び前記カバー材からなる本発明の軒先構造は、軒樋とカバー材の一体性が強固に高く、軒樋を高い支持強度にて保持できるものである。
なお、カバー材の化粧面に形成する導水用の開口部を導水口とし、係止片の形成により形成される開口部を導水穴とし、排水溝に形成される開口部を導水孔としてそれぞれを区別したが、それぞれの開口形状を限定するものではない。
【実施例１】
【００２６】
図１（ａ）に示す本発明の第１実施例の軒先構造は、軒先側の側面上端に係合受部１２１を備える軒樋１と、一端（軒先端）に前記軒樋１の係合受部１２１と係合する係合部２２を有すると共に他端（建築物側端）に建築物の外装下地（軒先唐草３）又は躯体に固定される固定部２３を有して前記軒樋１の開放上面を覆うカバー材２と、からなる。
【００２７】
前記軒樋１は、雨水等を排水する内部空間を有し、底面１１と二つの側面１２，１３とからなる断面略Ｕ字状に形成され、軒先側の側面１２上端には係合受部１２１を備えている所定長さのものを用いている。
この第１実施例における軒樋１は、略水平状の底面１１の軒先側（図面では左側）に、四つの縦傾斜面と三つの略水平面とで構成される段状の（外）側面１２が形成され、前記底面１１の内側（図面では右側）には、略垂直状に起立する（内）側面１３が形成され、これらの底面１１及び側面１２，１３にて断面略Ｕ字状の雨水等の排水路が形成されている。
また、前記軒先側の側面１２の上端に位置する傾斜面と略水平面（＝略Ｌ字状）は、カバー材２の一端に略コ字状に形成される係合部２２に係合される係合受部１２１である。
また、前記内側面１３の下端には、隅部状の被支持部１３１が設けられている。
【００２８】
前記カバー材２は、内部に降雪が堆積したり、落ち葉等が侵入、堆積したり、鳥類等が巣作りすることを防止する部材である。
この第１実施例におけるカバー材２は、図１（ｂ）に示すようにその表面（化粧面２１）には雨水を内部へ導く導水口２１１として複数（軒先方向に６列）の小径のスリット孔が形成され、該スリット孔の縁部をプレス加工等で下方へ湾曲状に変形させて形成され、この化粧面２１の建築物側へ延在する端縁には固定部２３（２ｂは固着具）が形成されている。この固定部２３は、当該第１実施例では、外装下地（野地材５Ｄ）に固定される軒先唐草３に連絡されて取り付けられている。
【００２９】
また、この第１実施例のカバー材２には、一端（軒先端）に前記軒樋１の係合受部１２１に外側から係合する係合部２２が、略コ字状に形成されている。より具体的には図１（ｃ）に示すように化粧面２１の軒先端から斜め上方へ延在する傾斜上面２２１と、その先端を斜め下方へ折曲した側面部２２２と、更にその下端を内側へ折曲した下面部２２３とからなる、内側が開放するコ字状に形成されている。
このようにカバー材２には、一端（軒先端）に軒樋１の係合受部１２１に外側から係合する係合部２２を設け、他端（建築物側端）に建築物の外装下地（野地材５Ｄ）に固定される軒先唐草３に固定される固定部２３を設けているので、前記軒樋１の側面上端（係合受部１２１）を上方から引っ張るように保持して軒樋１の荷重を負担することができる。即ちこのカバー材２は、軒樋１の軒先端を引っ張るように保持するアームの役割をも果たす。
【００３０】
さらに、前記係合部２２の傾斜上面２２１には、複数の係止片２２ａが形成されているが、該係止片２２ａは、図１（ｂ）に示すように長さ方向の一方（図では左方）が開放する略Ｃ字状の切り込み２２ｂを形成し、その切り込み２２ｂによって形成される内側部分２２ａ'を裏面側へ折り曲げて形成され、該折り曲げにより形成される開口部を導入穴２２ｃとしている。なお、前記導入穴２２ｃについては、図１（ｃ）に示している。
このようにカバー材２には、前記軒樋１の係合受部１２１に外側から係合する係合部２２と、前記軒樋１の係合受部１２１の内側に臨ませる複数の係止片２２ａとが形成されているので、前記軒樋１の係合受部１２１を、内側（係止片２２ａ）と外側（係合部２２）から挟むように保持するため、ビス等の固定具を必要とすることなく、例えば強風やその他の外力が加わっても突発的に外れることがないような高い一体性を有する。
【００３１】
また、図１（ｂ）に示すようにこの第１実施例のカバー材２の化粧面２１と係合部２２との境界には、下方へ凹む排水溝２４が長さ方向に略直線状に形成され、該排水溝２４には所定間隔で略円孔状の導水孔２５が形成されている。
そのため、化粧面２１に形成される複数の導水口２１１から軒樋１内へ雨水を導入できなかったとしても、当該排水溝２４及び導水孔２５にて確実に軒樋１内へ雨水を導く（落下させる）ことができる。
【００３２】
前述の軒樋１、カバー材２以外の構成を以下に簡単に説明する。
図中の３は軒先唐草であって、３１は外装下地（野地材）５Ｄへの固定部（３ｂは固定ビス）、３２は最軒側の外装材を保持する保持部、３３は排水凹部、３４は外装下地（野地材）５Ｄへの取付部、３５は前記カバー材２の固定部２３を支持して固定する被固定部である。この排水凹部３３は、外装材６Ａが近接状に敷設されていることにより、該近接状空間に至った雨水等が毛細管現象等で更に水上側へ浸透することがなく、この排水凹部３３にて雨水等を側方へ流下させることができる。
また、５Ａは流れ方向に延在するＨ躯体、５Ｂは水平方向に延在する角状躯体、５Ｃは鼻隠し壁面、５Ｄは流れ方向に敷設された外装下地（野地材）、５ｅはその上面に敷設された防水シートであり、６Ａは外装材、６ｂは外装材の裏面側に添設された裏貼り材である。
さらに、横葺き外装材である外装材６Ａは、裏面に裏貼り材４Ｂが添設され、略平坦状の面板部６１の軒側、棟側に設けられて相互に係合する軒側成形部６２、棟側成形部６３を備え、外装下地５Ｄに固定された吊子４Ａ（４ｂは固着具）にて取り付けられ（敷設され）ている。
また、７Ｂ，７Ｃは前記鼻隠し壁面５Ａを被覆する化粧材であって、天井材７Ａの端部に延設されている。
そして、８は前記カバー材２や前記軒先唐草３と共に安定に軒樋１を保持することができる補助材として用いられる支持材であり、金属板材等を適宜に成形して形成され、略垂直状の縦面８１（８ｂは固着具）の下端を略水平状に軒先側へ折り曲げて支持部（下方保持部）８２が形成され、上端を軒先側へ折り返して形成される下方が開放する溝状の上方保持部８３に前記軒樋１の内側面１３の上端が差し込まれる。
【００３３】
これらの部材より構成される第１実施例の軒先構造は、軒樋１の軒先側の側面上端を、建築物の外装下地（野地材５Ｄ）に固定した軒先唐草３に連絡して抱持状に（引っ張り上げるように）保持しているので、軒樋１を優れた意匠性で且つ高い支持強度にて保持できる。しかも複数の係止片２２ａを裏面側へ折り曲げて軒樋１の係合受部１２１の内側に臨ませているので、軒樋１の係合受部１２１を、内側（係止片２２ａ）と外側（係合部２２）から挟むように保持するため、例えば強風やその他の外力が加わっても突発的に外れることがないような高い一体性を有するものである。
【００３４】
図２（ａ），（ｂ）に示す第２実施例の軒先構造は、その軒樋１'及びカバー材２-2のみを示しているが、軒樋１'については前記第１実施例における軒樋１より僅かに小さく（幅狭に）形成され、段状の（外）側面１２'の形状が異なる（三つの縦傾斜面と二つの略水平面で構成される）に過ぎないので、図面に同一符号（但し「'」を付記して）を付して説明を省略する。
また、この第２実施例におけるカバー材２-2は、図２（ｃ）に示すように前記第１実施例におけるカバー材２と殆ど同様であるが、前述のように幅狭の軒樋１'の開放上面を覆うので、化粧面２１'が小さく、該化粧面２１'に導水口２１１も軒先方向に４列しか形成されていない。
なお、この図２（ｃ）には排水溝２４が図示されていないが、折り込み加工以前のカバー材２-2を示すためであり、谷折りを行って排水溝２４を形成する。
そして、この第２実施例におけるカバー材２-2は、係合部２２-2自体の形状は、前記第１実施例におけるカバー材２と殆ど同様であるが、係止片２２ｄを形成するための切り込み２２ｅが、導水孔２５の配設間隔の略中央に位置している点が異なる。図中、２２ｄ'は、切り込み２２ｅによって形成される内側部分を指す。図２（ａ），（ｂ）のような側面図では表せないが、導水孔２５の配設間隔の略中央に裏面側へ折り込む係止片２２ｄが形成され、それにより導水穴２２ｆが形成される。
【００３５】
なお、図２（ｃ）は、折り込み加工以前のカバー材２-2を示すには展開図であって、導入口２１１や導入孔２５を形成する位置を点線にて示している。また、排水溝２４については、図示されていないが、導入孔２５を通る直線状に谷折りを行って排水溝２４を形成する。このことは、後述する第３実施例の図３（ｃ）や第５実施例の図５（ｃ）についても同様である。
【００３６】
図３（ａ），（ｂ）に示す第３実施例の軒先構造は、その軒樋１'及びカバー材２-3のみを示しているが、軒樋１'については前記第２実施例における軒樋１'と全く同一であるから、図面に同一符号を付して説明を省略する。
また、この第２実施例におけるカバー材２-3は、図３（ｃ）に示すように前記第２実施例におけるカバー材２-2と殆ど同様であるが、係止片２２ｇを形成するための切り込み２２ｈが大きく（下端が係合受部１２１に係止するように）形成されている点が異なる。図中、２２ｇ'は、切り込み２２ｈによって形成される内側部分を指す。
そのため、この第３実施例では、図３（ａ），（ｂ）に示すように係止片２２ｇの下端が軒樋１'の係合受部１２１に当接（係止）するので、係止片２２ｇの折り曲げが安定に維持され、導入穴２２ｉも安定に確保されるため、より安定にカバー材２-3を軒樋１'と一体化できると共により安定に雨水等を軒樋１'内へ導くことができる。
【００３７】
図４（ａ）に示す第４実施例の軒先構造は、そのカバー材２-4を除く全ての構造（軒樋１を含む）は、前記第１実施例と同様であるから、図面に同一符号を付して説明を省略する。
この第４実施例におけるカバー材２-4は、図４（ｂ），（ｃ）に示すように係止片２２ｊを形成するための切り込み２２ｋが軒先側から排水溝２４へ向かって形成され、内側部分２２ｊ'の折り曲げ方向が流れ方向である点で前記第１〜第３実施例とは異なる。即ち前記第１〜第３実施例の係止片２２ａ，２２ｄ，２２ｇは、カバー材２〜２-3の長さ方向に折り曲げていたが、当該第４実施例の係止片２２ｊは流れ方向、即ちカバー材２-4の長さ方向と直交する方向に折り曲げられている。図中、２２ｊ'は、切り込み２２ｋによって形成される内側部分を指す。
そのため、この第４実施例において折り曲げられた係止片２２ｊは、図４（ａ），（ｃ）に示すように軒樋１の（外）側面１２に沿うように配置される点が他の第１〜第３実施例と異なる。そのため、図４（ｃ）に示すように形成される導水穴２２ｍの一端が排水溝２４至っているので、他の第１〜第３実施例のように導水孔を設けることなく、排水溝２４より集められた雨水を確実にこの導水穴２２ｍにて軒樋１内へ導く（落下させる）ことができる。
【００３８】
図５（ａ），（ｂ）に示す第５実施例の軒先構造は、その軒樋１'及びカバー材２-5のみを示しているが、軒樋１'については前記第２，第３実施例における軒樋１'と全く同一であるから、図面に同一符号を付して説明を省略する。
また、この第５実施例におけるカバー材２-5は、図５（ｃ）に示すように前記第４実施例におけるカバー材２-4と殆ど同様であるが、係止片２２ｎを形成するための切り込み２２ｏが大きく（下端が係合受部１２１に係止するように）形成されている点が異なる。図中、２２ｎ'は、切り込み２２ｏによって形成される内側部分を指す。又、この第５実施例では、導水孔２５も形成されている。
そのため、この第５実施例では、図５（ａ），（ｂ）に示すように係止片２２ｎの下端が軒樋１'の係合受部１２１に当接（係止）するので、係止片２２ｎの折り曲げが安定に維持され、導入穴２２ｐも安定に確保されるため、より安定にカバー材２-5を軒樋１'と一体化できると共により安定に雨水等を軒樋１'内へ導くことができる。なお、この第５実施例では、排水溝２４より集められた雨水は導水孔２５及び導水穴２２ｐにて軒樋１'内へ導く（落下させる）ことができる。
【符号の説明】
【００３９】
１，１'  軒樋
１ｂ，１ｃ  ビス（固着具）
１１  底面
１２  （外）側面
１２１  係合受部
１３  （内）側面
１３１  被支持部
２，２-2〜２-5  カバー材
２ｂ  ビス（固着具）
２１  化粧面
２２，２２-2〜２２-5  係合部
２２ａ，２２ｄ，２２ｇ，２２ｊ，２２ｎ  係止片
２２ｂ，２２ｅ，２２ｈ，２２ｋ，２２ｏ  切り込み
２２ｃ，２２ｆ，２２ｉ，２２ｍ，２２ｐ  導入穴
２３  固定部
２４  排水溝
２５  導水孔
３  軒先唐草
５Ａ  Ｈ躯体
５Ｃ  躯体（鼻隠し壁面）
５ｄ  野地材（外装下地）
６Ａ  横葺き外装材
６１  面板部
６２  軒側成形部
８  支持材
８１  縦面
８２  支持部
８３  上方保持部）
８ｂ  ビス（固着具）
【図１】
2019199770.tif 000003
【図２】
2019199770.tif 000004
【図３】
2019199770.tif 000005
【図４】
2019199770.tif 000006
【図５】
2019199770.tif 000007